(57)【要約】      （修正有）【課題】異物の除去機能と使用性に優れ、かつ衛生的な歯ブラシを提供する。【解決手段】口内の異物を除去するための歯ブラシであって、柄の先端部１を平面円形状とし、ブラシ部２を、少なくとも、前記先端部１の外周部とそれより内側の内周部とに二重に設けて外周ブラシ部２ａおよび内周ブラシ部２ｂとし、前記外周ブラシ部２ａを内周ブラシ部２ｂより長く設定する。これにより、異物を効果的に除去し、使用性を高める。また、先端部１の中央部に孔部３を形成して、その孔部３からブラシ部２に付着した異物を流し落とす。【選択図】図２
0003104452.tif 000002
【実用新案登録請求の範囲】
【請求項１】
口内の異物を除去するための歯ブラシであって、柄（４）の先端部（１）を平面円形状とし、ブラシ部（２）を，少なくとも，前記先端部の外周部とそれより内側の内周部とに円形状に二重に設けて、外周ブラシ部（２ａ）および内周ブラシ部（２ｂ）を形成し、前記外周ブラシ部を内周ブラシ部より長く設定してなる歯ブラシ。
【請求項２】
口内の異物を除去するための歯ブラシであって、柄（４）の先端部（１）を平面円形状とし、ブラシ部（２）を，少なくとも，前記先端部の外周部とそれより内側の内周部とに円形状に二重に設けて、外周ブラシ部（２ａ）および内周ブラシ部（２ｂ）を形成し、前記外周ブラシ部を内周ブラシ部より長く設定し、前記先端部の中央部に孔部（３）を形成してなる歯ブラシ。
【考案の詳細な説明】
【技術分野】
【０００１】
本考案は、異物（汚れを含む）の除去機能と使用性に優れ、かつ衛生的な歯ブラシに関するものである。
【背景技術】
【０００２】
従来の歯ブラシは、柄の先端部が平面略長方形で、ブラシ部もその先端部の形状に沿って平面略長方形の範囲内に植毛されている。また、この従来の歯ブラシは、通常、ブラシ部の先端が面一に設定されたり、あるいはその中央部分が周端部分より突出して設けられている。
【考案の開示】
【考案が解決しようとする課題】
【０００３】
しかし、こうした従来の歯ブラシは、その先端部が平面略長方形であるため、その角部分が口内の皮膚や歯に当たって動きが規制され、異物の除去機能が低下するといった問題がある。
【０００４】
また、ブラシ部の先端が面一であったり、その中央部分が周端部分より突出しているので、歯の側面の汚れを除去する機能が十分とは言えず、また、練り歯磨きをブラシ部に絞り出した際に、ブラシ部から落下してしまう場合もある。特に、幼児が使用する場合にこうした問題が発生し易い。
【０００５】
さらに、ブラシ部が柄の先端部の全体に植毛されているので、当該ブラシ部の根本部分に汚れが付着し易く、非衛生的となり易い。
【０００６】
本考案はこうした問題に鑑み創案されたもので、異物の除去機能と使用性に優れ、かつ衛生的な歯ブラシを提供することを課題とする。
【課題を解決するための手段】
【０００７】
図１乃至図５を参照して説明する。請求項１に記載の考案は、口内の異物を除去するための歯ブラシであって、柄４の先端部１を平面円形状とし、ブラシ部２を、少なくとも、前記先端部１の外周部とそれより内側の内周部とに円形状に二重に設けて、外周ブラシ部２ａおよび内周ブラシ部２ｂを形成し、前記外周ブラシ部２ａを内周ブラシ部２ｂより長く設定してなるものである。
【０００８】
請求項２に記載の考案は、口内の異物を除去するための歯ブラシであって、柄４の先端部１を平面円形状とし、ブラシ部２を、少なくとも、前記先端部１の外周部とそれより内側の内周部とに円形状に二重に設けて、外周ブラシ部２ａおよび内周ブラシ部２ｂを形成し、前記外周ブラシ部２ａを内周ブラシ部２ｂより長く設定し、前記先端部１の中央部に孔部３を形成してなるものである。
【考案の効果】
【０００９】
請求項１に記載の歯ブラシは、柄の先端部１を平面円形状としているので、口内での動きが円滑に行われ、異物の除去機能と使用性が向上する。
【００１０】
また、外周ブラシ部２ａを内周ブラシ部２ｂより長く設定しているので、例えば、下の歯に、ブラシ部２をその真上から被せて動かすと、内周ブラシ部２ｂが歯の上面に当たると共に、外周ブラシ部２ａが歯の側面に当たり、同時に歯の上面と側面に付着している異物を効果的に除去することができる。これにより、異物除去機能を向上させることができる。
【００１１】
さらに、外周ブラシ部２ａを内周ブラシ部２ｂより長く設定したことで、ブラシ部２の先端部分に凹部が形成されるので、練り歯磨きをブラシ部２に絞り出した際に当該ブラシ部２に安定状態で付着し、落下することがない。これにより、使用性が向上する。
【００１２】
請求項２に記載の歯ブラシは、請求項１に記載の考案と同様に、除去機能と使用性に優れると共に、柄の先端部１の中央部に孔部３を形成しているので、ブラシ部２に付着した異物をその孔部３から流し落とすことができる。従って、歯ブラシを衛生的に保つことができる。
【考案を実施するための最良の形態】
【００１３】
本考案の実施形態に係る歯ブラシを、図１乃至図５に示す。これは、口内の異物を除去するための歯ブラシであり、柄４の先端部１を平面円形状とし、ブラシ部２を、先端部１の外周部とそれより内側の内周部とに二重に設けて外周ブラシ部２ａおよび内周ブラシ部２ｂを形成している。また、外周ブラシ部２ａを内周ブラシ部２ｂより長く設定し、さらに、柄の先端部１の中央部に孔部３を形成している。
【００１４】
この歯ブラシは、従前の歯ブラシと同様に使用する。すなわち、まず、練り歯磨きをブラシ部２に絞り出して付着させる。このとき、当該歯ブラシのブラシ部２は、その外周ブラシ部２ａを内周ブラシ部２ｂより長く設定しているので、当該ブラシ部２の上端部分に凹部が形成される。従って、その凹部に、絞り出した練り歯磨きを安定姿勢で付着させることができ、落下を未然に防止することができる。
【００１５】
次に、柄の先端部１を口内に入れて歯を磨くが、この際、当該先端部１は平面円形状であるため、従来のように角部が皮膚や歯に当たることがない。従って、口内で円滑に動かすことができ、異物を容易かつ効果的に除去することができると共に使用性にも優れる。
【００１６】
また、外周ブラシ部２ａが内周ブラシ部２ｂより長く設定されているため、内周ブラシ部２ｂを歯の上面に当接させた際に、外周ブラシ部２ａを歯の側面に当接させることができる。これにより、歯の上面と側面に付着している異物を同時に除去することができる。
【００１７】
さらに、歯磨きを終えた後、ブラシ部２を洗浄する際、当該ブラシ部２に付着している異物を先端部１の中央部分に形成した孔部３から流し落とすことができる。従って、ブラシ部２を長期にわたって衛生的に保つことができる。
【００１８】
なお、本実施形態におけるブラシ部２は、外周ブラシ部２ａと内周ブラシ部２ｂの二重構造としているが、本考案はこれに限定するものではなく、三重以上の構造とすることもできる。
【図面の簡単な説明】
【００１９】
【図１】本考案に係る歯ブラシの実施形態を示す平面図である。
【図２】図１に示す歯ブラシの要部拡大図である。
【図３】図２のＡ−Ａ線断面図である。
【図４】図１に示す歯ブラシの背面図である。
【図５】図１に示す歯ブラシの側面図である。
【符号の説明】
【００２０】
１      柄の先端部
２      ブラシ部
２ａ    外周ブラシ部
２ｂ    内周ブラシ部
３      孔部
４      柄
【図１】
0003104452.tif 000003
【図２】
0003104452.tif 000004
【図３】
0003104452.tif 000005
【図４】
0003104452.tif 000006
【図５】
0003104452.tif 000007